(57)【特許請求の範囲】
【請求項１】
複数の住宅ユニットを組み合わせることにより建てられるユニット住宅において、住宅ユニット間には補強梁が架け渡されていると共に、当該補強梁は住宅ユニットよりも突出して配置され、この補強梁の突出部にバルコニーが組み込まれており、
前記補強梁は、隣り合う住宅ユニット間に、一階の住宅ユニットの天井梁と、二階の住宅ユニットの床梁に添って配置され、隣り合う住宅ユニットの梁間に配置されるウエブ部分を有していることを特徴とするユニット住宅のバルコニー。
【請求項２】
請求項１記載のユニット住宅のバルコニーにおいて、前記各住宅ユニットは、それぞれ、柱、梁を組み立てて構成される骨組みを備え、前記補強梁は、前記梁の長手方向に添って複数配置されていることを特徴とするユニット住宅のバルコニー。
【請求項３】
請求項２記載のユニット住宅のバルコニーにおいて、前記各補強梁は、互いに平行に延びていることを特徴とするユニット住宅のバルコニー。
【請求項４】
請求項１又は３の何れかに記載のユニット住宅のバルコニーにおいて、前記補強梁は、前記住宅ユニットから突出する突出部分の少なくとも一部がＩ形鋼又はＨ形鋼として形成されていることを特徴とするユニット住宅のバルコニー。
【請求項５】
請求項１〜４の何れかに記載のユニット住宅のバルコニーにおいて、前記補強梁の前記突出部を除く部分が、隣り合う住宅ユニットの梁間に配置されるウエブ部分と、前記梁上に配置されるフランジ部分とを有することを特徴とするユニット住宅のバルコニー。
【請求項６】
請求項１〜５の何れかに記載のユニット住宅のバルコニーにおいて、前記補強梁の突出部と、住宅ユニットとの境界部分に、前記突出部を補強するための補強部材が設けられていることを特徴とするユニット住宅のバルコニー。
【請求項７】
請求項１〜５の何れかに記載のユニット住宅のバルコニーにおいて、前記住宅ユニットは、四隅の柱の一つが省略された柱省略住宅ユニットを複数含み、前記各補強梁は、前記柱省略住宅ユニットの梁を補強していることを特徴とするユニット住宅のバルコニー。
【発明の詳細な説明】
【０００１】
【発明の属する技術分野】
本発明は、ユニット住宅のバルコニーに関し、特に、その施工性や利便性等に配慮したバルコニーの技術に関する。
【０００２】
【背景の技術】
ユニット住宅のバルコニーとして、ルーフバルコニー、桁付きバルコニー（複数の支持柱付きバルコニー）が広く知られている。ルーフバルコニーは、一階の屋根や二階の屋根の一部をバルコニーとして利用したものである。
【０００３】
桁付きバルコニーは、例えば総二階建てや総三階建てなどのように、ルーフバルコニーとして利用する屋根部分が存在しない場合、あるいは建物本体に対して後付で設ける場合や、必要に応じて特別に設ける場合に施工されることが多い。
【０００４】
ルーフバルコニーでは、屋根の一部をバルコニーの床支持構造として利用できるので、施工性が良く、広いバルコニーを比較的低コストで施工できる利点がある。桁付きバルコニーでは、バルコニーを設けたい位置に屋根が存在しなくても施工することができる利点がある。
【０００５】
【発明が解決しようとする課題】
しかし、桁付きバルコニーの場合には、バルコニーの床を含めて全体を支持する桁を必要とするため、施工性及び施工コストの面で弱点がある。また、桁自体は、通常、バルコニー床の四隅を支持する４本の桁を必要とするため、それらの桁が邪魔になる問題、視界を遮る問題、建物の外観を損なう問題等があり、好ましくない。
【０００６】
さらに、例えば二階の桁付きバルコニーの直下は、駐車スペース等に有効利用することが考えられるが、桁が存在するために、例えば普通車の駐車スペースなどとして利用することができない問題もある。
【０００７】
勿論、住宅の庇のように、補強によって張り出しバルコニーとすることも可能であるが、これには、強度上や補強構造の問題から大きな突出長のバルコニーとすることが難しい問題がある。さらに、住宅ユニットに加えてバルコニーユニットを別途に準備しなければならず、施工費が嵩む問題、施工性が低下する問題、補強構造の問題などがあり、好ましくない。
【０００８】
本発明の課題は、ユニット住宅の既存の補強材に工夫を凝らすことによって、施工性の向上、施工コストの低減を図りつつ、必要な強度を得るための補強構造の問題も解決でき、突出長の大きいユニット住宅のバルコニーを提供することにある。
【０００９】
【課題を解決するための手段】
本発明は、複数の住宅ユニットを組み合わせることにより建てられるユニット住宅において、住宅ユニット間には補強梁が架け渡されていると共に、当該補強梁は住宅ユニットよりも突出して配置され、この補強梁の突出部にバルコニーが組み込まれており、
前記補強梁は、隣り合う住宅ユニット間に、一階の住宅ユニットの天井梁と、二階の住宅ユニットの床梁に添って配置され、隣り合う住宅ユニットの梁間に配置されるウエブ部分を有していることを特徴とする。
【００１０】
このような本発明によれば、住宅ユニット間に架け渡される補強梁を住宅ユニットよりも突出させた突出部を設け、その突出部にバルコニーを組み込むことで、バルコニーの重量を突出部で直接支持する構造とすることができる。このように、ユニット住宅の既存の補強材に突出部を設けるという工夫を凝らすことによって、桁付きバルコニーのように、支持桁等を施工するのを省略でき、施工性の向上、施工コストの低減を図ることができる。
【００１１】
また、補強梁を利用するので、必要な強度を得るための補強構造の問題も解決することができ、突出長の大きいバルコニーとすることができる。また、桁が存在しないので、そのバルコニーの下を屋根のある駐車スペース等として有効利用することができる。
【００１２】
上記構成において、各住宅ユニットとしては、それぞれ、柱、梁を組み立てて構成される骨組みを備え、前記補強梁は、前記梁の長手方向に添って複数配置されていることが好ましい。突出部のある補強梁は少なくとも二つあれば十分であるが、それ以上の場合にはより大型の張り出しバルコニーとして構成することができる。
【００１３】
前記各補強梁は、互いに平行に延びていることが望ましい。その場合、各突出部も平行になるので、各突出部によるバルコニーの支持構造も良好な形態とすることができる。
【００１４】
前記補強梁は、前記住宅ユニットから突出する突出部分の少なくとも一部がＩ形鋼又はＨ形鋼として形成されていることが望ましい。このように、補強梁の突出部分をＩ形鋼又はＨ形鋼として形成した場合、バルコニーの支持梁として強度的に優れた構造とすることができる。
【００１５】
前記補強梁の前記突出部を除く部分を、隣り合う住宅ユニットの梁間に配置されるウエブ部分と、前記梁上に配置されるフランジ部分とを有する形状にすることもできる。このように構成すれば、住宅ユニットの補強梁としての本来の機能を十分に発揮させることができるだけでなく、突出部分には上下のフランジ部分を設けるだけで、Ｉ形鋼又はＨ形鋼として容易に形成することができる。
【００１６】
前記補強梁の突出部と、住宅ユニットとの境界部分に、前記突出部を補強するための補強部材を設けることもできる。補強梁の突出部と住宅ユニットとの境界部分には、突出部にかかる加重により応力集中が起こる。従って、この集中加重を補強部材により分散させて補強することができる。
【００１７】
前記住宅ユニットは、四隅の柱の一つが省略された柱省略住宅ユニットを複数含み、前記各補強梁は、前記柱省略住宅ユニットの梁を補強していることが望ましい。この際の補強梁は必ず架設されるため、この補強梁を架設するだけで、突出部を構成することができるからである。
【００１８】
【発明の実施の形態】
以下、本発明の実施の形態について、図面を参照して説明する。
図１は本発明を適用した二階建てのユニット住宅の側面図であり、図２は一階の住宅ユニットの配置と補強梁の配置を示す平面図である。図３は補強梁の構造を示す部分拡大正面図であり、図４は突出部の補強部材を示す側面図である。
【００１９】
これらの図において、１は鉄骨ユニット住宅を示し、Ｂはバルコニーを示している。ユニット住宅１は総二階建てとして建築されているため、ルーフバルコニーを施工するための下階の屋根が存在しない。従って、このバルコニーは、建物の壁面２から水平方向へ突出する、片持ちの張り出しバルコニーとして施工されている。
【００２０】
ユニット住宅１の一階及び二階には、それぞれ８個の住宅ユニット３、４が組み合わされ、合計で１６個の住宅ユニットにより構成されている。住宅ユニット３は例えば二間前後の長さを有し、住宅ユニット４は一間半程度の長さを有している。
【００２１】
これらの住宅ユニット３は、４は、基本的には既存の鉄骨製住宅ユニットとほぼ同様に構成されている。即ち、図３に示すように、４本の角鋼管製の柱ａと、それらの柱ａの上部を連結する４本の天井梁ｂと、各柱ａの下部を連結する４本の床梁ｃとが骨組みとして構成されたものが用いられている。
【００２２】
本実施の形態では、このように複数の住宅ユニット３、４を組み合わせることにより建てられるユニット住宅１において、住宅ユニット３、４間には補強梁５が架け渡されていると共に、その補強梁５は住宅ユニット３よりも突出して配置され、この補強梁５の突出部６にバルコニーＢが組み込まれている。
【００２３】
各住宅ユニット３、４としては、それぞれ、柱ａ、天井梁ｂ、床梁ｃを組み立てて構成される骨組みを備えていて、補強梁５は、一階の住宅ユニットの天井梁ｂと、二階の住宅ユニットの床梁ｃの長手方向に添って３つ配置されている。突出部６のある補強梁５は少なくとも二つ配置されてあれば十分であるが、このように３つあるいはそれ以上の場合にはより大型の張り出しバルコニーＢとして構成することができる。
【００２４】
各補強梁５は、互いに平行に延びている。従って、各突出部６も平行になるので、各突出部６によるバルコニーＢの支持構造も良好な形態となる。即ち３つの突出部６でバルコニーＢ全体の重量を支持する構造となる。
【００２５】
補強梁５は、住宅ユニット３から突出する突出部６の全体がＩ形鋼又はＨ形鋼として形成されている。これは、突出部６のウエブ６ａの上下に上部フランジ６ｂ及び下部フランジ６ｃを設けておくことで対処することができる。このように、補強梁５の突出部６をＩ形鋼又はＨ形鋼として形成した場合、バルコニーの支持梁として強度的に優れた構造とすることができる。
【００２６】
また、補強梁５の突出部６を除く部分は、隣り合う住宅ユニット３、４の梁間に配置されるウエブ部分５ａと、梁上に配置されるフランジ部分５ｂとを有する形状にすることで、住宅ユニットの補強梁としての本来の機能を十分に発揮させることができるだけでなく、突出部６には上下のフランジ部分を設けるだけで、Ｉ形鋼又はＨ形鋼として容易に形成することができる。
【００２７】
また、補強梁５の突出部６と、住宅ユニット３との境界部分に、図４に示すように、突出部６を補強するための補強部材１０を設けている。補強梁５の突出部６と住宅ユニット３との境界部分には、突出部６にかかる加重により応力集中が起こる。従って、この集中加重をブラケット構造の補強部材１０により分散させて補強することができる。
【００２８】
この実施の形態によれば、住宅ユニット３、４間に架け渡される補強梁５、５、５を住宅ユニット３よりも突出させた突出部６を設け、その突出部６にバルコニーＢを組み込むことで、バルコニーＢの重量を突出部６で直接支持する構造とすることができる。このように、ユニット住宅の既存の補強材に突出部６を設けるという工夫を凝らすことによって、桁付きバルコニーのように、支持桁等を施工するのを省略でき、施工性の向上、施工コストの低減を図ることができる。
【００２９】
また、補強梁６を利用するので、必要な強度を得るための補強構造の問題も解決することができ、大きな突出長のバルコニーＢを構成することができる。また、桁が存在しないので、そのバルコニーの下を屋根のある駐車スペース等として有効利用することができる。
【００３０】
なお、上記実施の形態において、住宅ユニット３、４は何れも四隅に柱ａを備えたものでも適用できるが、特に好ましいのは、四隅の柱ａの一つが省略された柱省略住宅ユニットを複数含み、各補強梁５は、柱省略住宅ユニットの梁を補強している構造のユニット住宅である。なぜなら、この際の補強梁５は必ず架設されるため、この補強梁５を架設するだけで、突出部６を構成することができるからである。
【００３１】
【発明の効果】
以上のように、本発明によれば、ユニット住宅の既存の補強材に工夫を凝らすことによって、施工性の向上、施工コストの低減を図りつつ、必要な強度を得るための補強構造の問題も解決でき、突出長の大きいユニット住宅のバルコニーを提供できる優れた効果を奏する。
【図面の簡単な説明】
【図１】本発明の実施の形態を示す住宅の側面図である。
【図２】本発明の実施の形態に係る一階の住宅ユニットの配置と補強梁の配置を示す平面図である。
【図３】本発明の他の実施の形態に係る補強梁の構造を示す部分拡大正面図である。
【図４】本発明の更に他の実施の形態に係る突出部の補強部材を示す側面図である。
【符号の説明】
１  ユニット住宅
２  壁面
３、４  住宅ユニット
５  補強梁
５ａ  ウエブ
５ｂ  フランジ部分
６  突出部
６ａ  ウエブ
６ｂ  上部フランジ
６ｃ  下部フランジ
１０  補強部材
【図１】
0003871939.tif 000002
【図２】
0003871939.tif 000003
【図３】
0003871939.tif 000004
【図４】
0003871939.tif 000005